【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局によって、スロットよりも短いCoreset長を有する複数の制御リソースセット(Coreset)を決定するステップと、
前記基地局によって、前記複数のCoresetを1つまたは複数のCoresetグループにグループ化するステップであって、前記1つまたは複数のCoresetグループの各々が、1次Coresetおよび0個以上の2次Coresetを含む、ステップと、
前記基地局によって、制御情報のための前記1つまたは複数のCoresetグループのうちの少なくとも1つについて1つまたは複数のCoresetを監視するようにユーザ機器(UE)を構成するステップと
前記基地局によって、いくつかのシンボルの長さを有するCoreset内の未使用シンボルが再利用可能であるか否かを示すCoresetリソース再利用構成を示すダウンリンク制御情報(DCI)を含むように前記制御情報を構成するステップをさらに含む、
方法。
【請求項２】
前記1つまたは複数のCoresetグループが、少なくとも第1のCoresetグループおよび第2のCoresetグループを含む、請求項1に記載の方法。
【請求項３】
前記制御情報が、前記1つまたは複数のCoresetグループの各々についての制御フォーマットインジケータ(CFI)情報を含み、第1のCFI情報が、前記第1のCoresetグループのCoresetにおいて物理ダウンリンク制御チャネル(PDCCH)を搬送するために使用される第1の数のシンボルを示し、第2のCFI情報が、前記第2のCoresetグループのCoresetにおいてPDCCHを搬送するために使用される第2の数のシンボルを示し、前記第1のCFI情報が、前記第1のCoresetグループの前記1次Coresetにおいて送信され、前記第2のCFI情報が、前記第2のCoresetグループの前記1次Coresetにおいて送信され、
特に、前記第1の数のシンボルおよび前記第2の数のシンボルが独立して決定される、請求項2に記載の方法。
【請求項４】
前記第1のCoresetグループが1次Coresetおよび2次Coresetを含み、前記第2のCoresetグループが1次Coresetおよび2次Coresetを含む、請求項2に記載の方法。
【請求項５】
前記1つまたは複数のCoresetグループのうちの特定のCoresetグループが、1次Coresetおよび2次Coresetを含み、前記特定のCoresetグループの前記1次Coresetが、前記特定のCoresetグループの前記1次Coresetを監視するように構成されるUEによって監視されるべき共通探索空間を含み、前記特定のCoresetグループの前記2次CoresetがUE固有探索空間を含む、請求項1に記載の方法。
【請求項６】
前記1つまたは複数のCoresetグループの各々が1次Coresetおよび少なくとも1つの2次Coresetを含み、前記1つまたは複数のCoresetグループのうちの少なくとも1つのCoresetグループについて、前記1次Coresetが第1のキャリア上で送信され、前記少なくとも1つの2次Coresetが少なくとも1つの追加のキャリア上で送信され、
特に、前記1次Coresetが、サービング基地局によって前記第1のキャリア上で送信される、請求項1に記載の方法。
【請求項７】
前記1つまたは複数のCoresetグループのうちの少なくとも1つのCoresetグループについて、前記1次Coresetのための第1のセル識別子および前記0個以上の2次Coresetのための第2のセル識別子が、同じセル識別子および異なるセル識別子のうちの1つである、請求項1に記載の方法。
【請求項８】
ネイバーセルに対応する1つまたは複数のCoresetに関連付けられた情報を前記UEに送信するステップをさらに含み、
特に、前記基地局によって、ネイバーセルに対応する1つまたは複数のCoresetを決定するステップと、
前記基地局によって、前記ネイバーセルに対応する前記1つまたは複数のCoresetのうちの特定のCoresetを識別するステップであって、前記特定のCoresetが、前記UEによって監視されるべきCoresetに対応し、前記UEに送信される前記ネイバーセルに対応する前記特定のCoresetに関連付けられた前記情報が、前記ネイバーセルに対応する前記1つまたは複数のCoresetのうちの前記特定のCoresetに関連付けられた情報を含む、ステップと
をさらに含む、請求項1に記載の方法。
【請求項９】
前記1つまたは複数のCoresetグループのうちの少なくとも1つのCoresetグループについて、前記1次Coresetが所定の構成を有し、前記2次Coresetが動的な構成を有する、請求項1に記載の方法。
【請求項１０】
ワイヤレス通信のための方法であって、
ユーザ機器(UE)において、1つまたは複数の制御リソースセット(Coreset)グループを識別する情報を受信するステップであって、前記1つまたは複数のCoresetグループの各々が、1次Coresetおよび0個以上の2次Coresetを含む、ステップと、
前記UEによって、前記1つまたは複数のCoresetグループのうちの少なくとも1つのCoresetグループを検出するために送信を監視するステップと、
前記1つまたは複数のCoresetグループのうちの前記少なくとも1つのCoresetグループを検出したことに応答して、前記UEによって、前記少なくとも1つのCoresetグループを介して情報を受信するステップと
を含み、
前記情報は、いくつかのシンボルの長さを有するCoreset内の未使用シンボルが再利用可能であるか否かを示すCoresetリソース再利用構成を示すダウンリンク制御情報(DCI)を含む、
方法。
【請求項１１】
前記1つまたは複数のCoresetグループが、少なくとも2つのCoresetグループを含み、前記少なくとも2つのCoresetグループが、無線周波数の広帯域を介して基地局によって送信される、または、
前記1つまたは複数のCoresetグループが、少なくとも2つのCoresetグループを含み、前記UEが、前記情報を受信するために少なくとも1つのCoresetグループを監視するように構成される、請求項10に記載の方法。
【請求項１２】
前記送信が、少なくとも2つのキャリアを利用するマルチキャリア送信を含み、前記方法が、
前記UEによって、前記少なくとも1つのCoresetグループの前記1次Coresetを介して提供される制御情報を受信するために前記少なくとも2つのキャリアのうちの第1のキャリアを監視するステップと、
前記UEによって、前記少なくとも1つのCoresetグループの前記2次Coresetを介して提供される他の情報を受信するために前記少なくとも2つのキャリアのうちの第2のキャリアを監視するステップと
をさらに含み、
特に、前記制御情報が、Coresetリソース再利用構成を示すダウンリンク制御情報(DCI)、各Coresetのデータを搬送するために利用されるシンボルの数を示す制御フォーマットインジケータ(CFI)情報、または両方を含む、または、
特に、前記1次Coresetを介して提供される前記制御情報が第1の基地局によって送信される、
請求項10に記載の方法。
【請求項１３】
前記1つまたは複数のCoresetグループのうちの少なくとも1つのCoresetグループが1次Coresetおよび少なくとも1つの2次Coresetを含み、前記1次Coresetが、前記UEによって監視されるべき共通探索空間を提供し、前記2次Coresetが、前記UEのためのUE固有探索空間を提供する、請求項10に記載の方法。
【請求項１４】
1つまたは複数のプロセッサによって実行されると、請求項1から13のいずれか一項に記載の方法を前記1つまたは複数のプロセッサに実行させる命令を含む、コンピュータプログラム。
【請求項１５】
ワイヤレス通信のための装置であって、
請求項１から１３のいずれか一項に記載の方法を実行する手段
を備える装置。